(57)【特許請求の範囲】
【請求項１】
排水溝路に設けられた蓋受枠に乗載される溝蓋を該蓋受枠に固定するための溝蓋の固定装置において、
前記蓋受枠に立設された螺子杆と、
該螺子杆に対応する溝蓋の所定位置に配設され、前記螺子杆を下方から挿通可能な透孔が形成された底板を備える収納凹部と、
上端部に回動操作用工具が係合可能な係合孔が形成され、かつ下端部に前記螺子杆と螺合可能な螺子孔が形成されたナット部材と、
下面が前記収納凹部の底板に面接触し且つ上面が前記溝蓋の上面と略面一となる状態で前記収納凹部に埋設されるものであって、前記螺子杆を下方から挿通可能な挿通孔が形成された下板部と、前記回動操作用工具の係合先端部を挿通可能な操作孔が形成された上板部と、前記ナット部材を両端開口から入出可能な空洞部とを備えた断面ロ字形の筒状固定具と
を備え、
前記ナット部材を空洞部内に配した筒状固定具を、蓋受枠に乗載した溝蓋の収納凹部に埋設して、該収納凹部の透孔と前記挿通孔とを挿通した螺子杆に前記ナット部材を螺合することにより、筒状固定具を介して溝蓋と溝受枠とを固定するようにしたものであることを特徴とする溝蓋の固定装置。
【請求項２】
収納凹部の底板の透孔が、排水溝路の長手方向に沿った長孔形状を成すものであることを特徴とする請求項１に記載の溝蓋の固定装置。  
【請求項３】
筒状固定具の下板部の挿通孔が、排水溝路の長手方向に沿った長孔形状をなし、かつナット部材を挿通不能とする孔幅に形成されたものであることを特徴とする請求項１又は請求項２に記載の溝蓋の固定装置。
【請求項４】
筒状固定具の上板部の操作孔が、長孔形状の挿通孔と対向し且つ該挿通孔と略同一形状に形成されたものであることを特徴とする請求項３に記載の溝蓋の固定装置。
【請求項５】
ナット部材が、その外周に、互いに対向する一対の側面部と、該側面部間の幅よりも幅広な互いに対向する幅広側部とを備えてなり、
筒状固定具の空洞部内に入出可能かつ該空洞部内で回転不能に形成され、ナット部材を前記一対の側面部に沿って嵌入可能とし且つ前記対向する幅広側部間の幅に比して狭い間隔を成す互いに対向する一対の弾性側片部を備えた戻止め具を備え、
戻止め具とその両弾性側片部間に嵌入したナット部材とを筒状固定部の空洞部内に配した状態で、弾性側片部の弾性力に抗することによりナット部材を回転可能としていることを特徴とする請求項１乃至請求項４のいずれか１項に記載の溝蓋の固定装置。
【請求項６】
戻止め具は、螺子杆を挿通可能な透孔が設けられ、ナット部材を乗載する矩形状の底板部を備え、弾性側片部が該底板部の両側縁から夫々起立するように設けられているものであることを特徴とする請求項５に記載の溝蓋の固定装置。
【発明の詳細な説明】
【技術分野】
【０００１】
本発明は、屋内や屋外の通路の側部に設けられた側溝や該通路を横断するように設けられた横断溝等の排水溝路に被着される溝蓋を、蓋受枠に固定するための溝蓋の固定装置に関する。
【背景技術】
【０００２】
一般に、側溝や横断溝等の排水溝路の上部開口を覆う溝蓋は、排水溝路の上部に配設された蓋受枠に乗載した状態で、排水溝路に着脱可能に被着されているが、単に溝蓋を蓋受枠に乗載しただけの状態では、人や自動車の通行によって溝蓋がガタ付いて騒音が発生したり、自動車の通行による衝撃で被着位置からずれるという不具合がある。
【０００３】
このような不具合を解消するために、ボルトとナットにより溝蓋を蓋受枠に固定するようにした溝蓋の固定装置が知られている（例えば、特許文献１参照）。これは、図１１に示すように、排水溝路ａの上部に配設された蓋受枠ｂにボルトｃを立設する一方、該ボルトｃに対応する溝蓋ｄの下面の所定位置に、ボルト挿通孔ｆを備えた底板ｅを配設し、該底板ｅのボルト挿通孔ｆに下方から挿通させた前記ボルトｃの突出端にナットｇを螺合させて緊締することにより、溝蓋ｄを蓋受枠ｂに固定するようにしたものである。
【０００４】
また、図１２に示すように、前記ナットｇの装着部に生じる凹状の空間部ｈに断面コ字形のキャップｊを嵌合し、該キャップｊによって空間部ｈを塞ぐようにした構成も知られている。
【先行技術文献】
【特許文献】
【０００５】
【特許文献１】特開２０００−４５３７６号公報（段落番号［０００２］、図１１）
【発明の概要】
【発明が解決しようとする課題】
【０００６】
ところで、上述した特許文献１に開示されているような一般的な溝蓋の固定装置にあっては、ナットｇの回動操作にボックスレンチｋ（図１１参照）が用いられるため、該ボックスレンチｋを上方から挿入し得る大きな凹状の空間部ｈがナットｇの装着部に形成される。このため、該空間部ｈにハイヒールの踵や杖の先端が嵌り易いという問題点があった。また、図１２のように、キャップｊによって空間部ｈを塞ぐようにした構成にあっては、キャップｊが遊嵌状に嵌め込まれているだけであるため、自動車の通行による衝撃で浮き上がったり、外れたりする虞があった。
【０００７】
本発明は、かかる従来の問題点を解消するためになされたものであり、ナットの装着部における凹状の空間部をなくして歩行の安全性を確保し得るとともに、構成部材が衝撃で浮き上がったり、外れたりすることのない安定した固定状態が得られる溝蓋の固定装置を提供することを目的とするものである。
【課題を解決するための手段】
【０００８】
本発明は、排水溝路に設けられた蓋受枠に乗載される溝蓋を該蓋受枠に固定するための溝蓋の固定装置において、前記蓋受枠に立設された螺子杆と、該螺子杆に対応する溝蓋の所定位置に配設され、前記螺子杆を下方から挿通可能な透孔が形成された底板を備える収納凹部と、上端部に回動操作用工具が係合可能な係合孔が形成され、かつ下端部に前記螺子杆と螺合可能な螺子孔が形成されたナット部材と、下面が前記収納凹部の底板に面接触し且つ上面が前記溝蓋の上面と略面一となる状態で前記収納凹部に埋設されるものであって、前記螺子杆を下方から挿通可能な挿通孔が形成された下板部と、前記回動操作用工具の係合先端部を挿通可能な操作孔が形成された上板部と、前記ナット部材を両端開口から入出可能な空洞部とを備えた断面ロ字形の筒状固定具とを備え、前記ナット部材を空洞部内に配した筒状固定具を、蓋受枠に乗載した溝蓋の収納凹部に埋設して、該収納凹部の透孔と前記挿通孔とを挿通した螺子杆に前記ナット部材を螺合することにより、筒状固定具を介して溝蓋と溝受枠とを固定するようにした溝蓋の固定装置である。
【０００９】
ここで、排水溝路に設けられる蓋受枠としては、水平縁部と該水平縁部の外端から立ち上がる垂直縁部とを備え、排水溝路の上部内縁に左右一対で配設されて、前記両水平縁部上に溝蓋の左右側縁を乗載するようにしたものが適用され、この場合には、螺子杆が水平縁部に立設される。また、他の蓋受枠としては、排水溝路の上部に配設される左右の支持枠と、該支持枠間に横架された蓋受杆とによって構成されて、該蓋受杆上に溝蓋を乗載するようにしたものが適用され、この場合には、螺子杆が蓋受杆に立設される。
【００１０】
かかる構成によれば、筒状固定具の空洞部内に配したナット部材を螺子杆に螺合して緊締することにより、筒状固定具の下面と収納凹部の底板上面とを圧接させ、溝蓋を蓋受枠に固定することができる。ここで、筒状固定具は、前記緊締作用を介して、収納凹部の底板と面接触して固定されることから、圧接する接触面を比較的広く確保することができる。そのため、溝蓋を蓋受枠に安定して固定し易いという利点もある。
【００１１】
さらに、上記のように固定した状態では、筒状固定具の上面が溝蓋の上面と略面一となり、該筒状固定具により収納凹部の上部を遮蔽することができるため、従来のような凹状の空間部ｈ（図１１参照）が生じることがなく、これによって歩行の安全性が確保される。また、ナット部材と螺子杆との緊締作用を介して筒状固定具が固定されることから、該筒状固定具が衝撃で浮き上がったり、外れたりすることのない安定した固定状態が得られる。
【００１２】
上記のナット部材は上端部に形成された係合孔に係合される回動操作用工具によって回動し得るので、ナット部材の周囲にボックスレンチｋ（図１１参照）の挿入を許容する隙間を形成する必要がない。そのため、筒状固定具の上面を比較的広く確保し易いことから、例えばハイヒールの踵や杖の先端等が挟まってしまうことも可及的に防ぎ得る。また、ナット部材は筒状固定具の空洞部内に配されることから、上記した固定状態で緩み難く、比較的長期に亘って固定状態を安定して維持できる。尚、仮に緩みを生じたとしても、ナット部材が外れ難いため、筒状固定具を収納凹部内に埋設した状態で維持でき得る。
【００１３】
上述した溝蓋の固定装置であって、収納凹部の底板の透孔が、排水溝路の長手方向に沿った長孔形状を成すものである構成が提案される。
【００１４】
かかる構成によれば、溝蓋を蓋受枠に対して、透孔の長孔寸法の範囲内で移動可能となることから、溝蓋を所望位置に配置できる。すなわち、透孔は、螺子杆を挿通することにより、溝蓋の位置決めを容易にできると共に、所望位置に適宜修正して配置できる。
【００１５】
上述した溝蓋の固定装置であって、筒状固定具の下板部の挿通孔が、蓋受枠の長手方向に沿った長孔形状をなし、かつナット部材を挿通不能とする孔幅に形成されたものである構成が提案される。ここで、孔幅は、蓋受枠の長手方向と直交する方向に沿った幅である。
【００１６】
かかる構成によれば、筒状固定具を、挿通孔の長孔寸法の範囲内で螺子杆に対して移動可能となることから、該筒状固定具の配置を適宜位置決めし易い。ここで、上記した長孔形状の透孔を備えた構成の場合には、筒状固定具を所望位置に一層位置決めし易く、これに伴って該溝蓋を蓋受枠に固定する作業性が向上する。また、挿通孔の孔幅がナット部材を挿通不能であることにより、該ナット部材の緊締作用を介した固定状態を一層安定させることができる。
【００１７】
上述した溝蓋の固定装置であって、筒状固定具の上板部の操作孔が、長孔形状の挿通孔と対向し且つ該挿通孔と略同一形状に形成されたものである構成が提案される。
【００１８】
かかる構成によれば、筒状固定具の固定位置に応じて回動操作用工具を操作孔から挿通可能であり、所望位置に位置決めした筒状固定具をナット部材の緊締作用により安定して固定できる。また、ナット部材が操作孔を挿通できずに筒状固定具の空洞部内で保持されることから、該ナット部材が螺子杆との緊締状態から仮に緩んだとしても外れ難く、筒状固定具を収納凹部内に埋設した状態で安定して維持できる。また、筒状固定具は、その製造の際に、挿通孔と操作孔とを形成し易いという利点がある。
【００１９】
上述した溝蓋の固定装置であって、ナット部材が、その外周に、互いに対向する一対の側面部と、該側面部間の幅よりも幅広な互いに対向する幅広側部とを備えてなり、筒状固定具の空洞部内に入出可能かつ該空洞部内で回転不能に形成され、ナット部材を前記一対の側面部に沿って嵌入可能とし且つ前記対向する幅広側部間の幅に比して狭い間隔を成す互いに対向する一対の弾性側片部を備えた戻止め具を備え、戻止め具とその両弾性側片部間に嵌入したナット部材とを筒状固定部の空洞部内に配した状態で、弾性側片部の弾性力に抗することによりナット部材を回転可能としている構成が提案される。
【００２０】
かかる構成によれば、戻止め具とその両弾性側片部間に嵌入したナット部材とを空洞部内に配した筒状固定部を溝蓋の収納凹部に埋設して、前記ナット部材を、戻止め具の弾性側片部の弾性力に抗して回動させることにより、螺子杆に螺合して緊締することができると共に、前記緊締した状態で、ナット部材の回転を抑制して該緊締状態が緩んでしまうことを抑制できる。これは、両弾性側片部の弾性力に抗する力を作用させてその間隔を拡げなければ、該弾性側片部間をナット部材の幅広側部が回転通過できないことに因る。このように、本構成では、人や自動車の通行により生ずる振動によって、前記ナット部材の緊締状態が緩むことを抑制できる。
【００２１】
ここで、戻止め具は、螺子杆を挿通可能な透孔が設けられ、ナット部材を乗載する矩形状の底板部を備え、弾性側片部が該底板部の両側縁から夫々起立するように設けられているものである構成が提案される。尚、本構成の戻止め具としては、断面略コ字形の構成が好適である。
【００２２】
かかる構成によれば、ナット部材の緊締作用により、戻止め具を該ナット部材と筒状固定部の下板部との間で挟圧して固定できることから、ナット部材の緩みを抑制するという上述した作用効果が一層向上する。
【発明の効果】
【００２３】
本発明は、ナット部材を空洞部内に配した筒状固定具を、蓋受枠に乗載した溝蓋の収納凹部に埋設して、該収納凹部の透孔と筒状固定具の挿通孔とを挿通した螺子杆に前記ナット部材を螺合することにより溝蓋と溝受枠とを固定するようにしたものであるから、筒状固定具を介して溝蓋を溝受枠に安定して固定し易い。そして、固定状態では、収納凹部の上部が遮蔽されることから、これに伴って通行の安全性が確保され得る。また、ナット部材が筒状固定具の空洞部内で螺子杆に緊締されて螺着されることから、これらの構成部材が衝撃で浮き上がったり、外れたりすることのない安定した固定状態が得られると共に、筒状固定具を埋設状態で比較的長期に亘って安定して維持できる。
【００２４】
また、上述した溝蓋の固定装置にあって、ナット部材をその側面部に沿って嵌入可能とし且つ幅広側部の幅より狭い間隔を成す一対の弾性側片部を備えた戻止め具を備えた構成の場合には、戻止め具とその弾性側片部間に嵌入したナット部材とを空洞部内に配した筒状固定具を溝蓋の収納凹部に埋設して、前記弾性側片部の弾性力に抗して該ナット部材を螺子杆に螺合して緊締した状態で、該弾性側片部の弾性力に従ってナット部材の回転が抑制されることから、人や自動車の通行により生ずる振動によって、前記ナット部材の緊締状態が緩むことを抑制できる。
【図面の簡単な説明】
【００２５】
【図１】実施例１にかかる固定装置２９による、溝蓋１３の施工状態を示す縦断面図である。
【図２】同上の溝蓋１３の施工状態を示す平面図である。
【図３】同上の固定装置２９の取り付け過程を説明する縦断面図である。
【図４】同上の固定装置２９の、他の施工状態を示す平面図である。
【図５】実施例２にかかる固定装置２９による、溝蓋５１の施工状態を示す縦断面図である。
【図６】同上の溝蓋５１の施工状態を示す平面図である。
【図７】実施例３にかかる固定装置６９による溝蓋１３の施工状態を示す、（Ａ）溝蓋１３の横方向に沿った拡大縦断面図と、（Ｂ）溝蓋１３の長手方向に沿った拡大縦断面図である。
【図８】同上の溝蓋１３の施工状態を示す拡大平面図である。
【図９】同上の固定装置６９を構成するナット部材７１と戻止め具８１とを表す（Ａ）平面図と、（Ｂ）正面図である。
【図１０】別例の筒状固定具９１を表す（Ａ）平面図と、（Ｂ）縦断面図である。
【図１１】従来の溝蓋の固定装置を示す縦断面図である。
【図１２】従来のキャップｊを示す斜視図である。
【発明を実施するための形態】
【００２６】
本発明にかかる溝蓋の固定装置の実施例を、添付図面に基づいて説明する。
【実施例１】
【００２７】
排水溝路１は、図１に示すように、地盤の所定深さ位置に断面略コ字形に打設したコンクリート１１により構築されている。尚、この排水溝路１の周囲上部には、タイル１２等の舗装材１０が連続状に施設されている。
【００２８】
この排水溝路１の対向する上部内縁には、図１，３に示すように、水平縁部５と該水平縁部５の外端から立ち上がる垂直縁部６とを備えた略Ｌ形の左右一対の蓋受枠４，４が排水溝路１の長手方向に沿って夫々配設されている。蓋受枠４，４は、金属製アングル材からなり、その長さは、排水溝路１の長手方向に沿う所定の長さとなっている。
【００２９】
上記した蓋受枠４，４の各水平縁部５，５には、後述する溝蓋１３の少なくとも長手方向の両端近傍部に対応する位置に、螺子杆９が夫々立設されている。この螺子杆９は、蓋受枠４の水平縁部５に下方から挿通されて、該水平縁部５の上方に所定長さで突出する溶接ボルトの雄螺子部によって構成されており（図３（Ａ）参照）、該溶接ボルトは蓋受枠４の水平縁部５の下面に溶接を介して回動不能に固着されている。
【００３０】
上記の蓋受枠４，４の水平縁部５，５上には溝蓋１３が乗載される。この溝蓋１３は、図２のように、蓋受枠４に直交する方向に沿って所定間隔で並列する複数のメインバー１４と、該メインバー１４に直交する適数本のクロスバー１５と、該クロスバー１５に沿って各メインバー１４の左右両端部に配設されたサイドバー１６，１６とを備えた金属性のグレーチングからなり、蓋受枠４，４の水平縁部５，５に乗載されることによって、該蓋受枠４，４の垂直縁部６，６間に設けられた開口部２を通水可能に覆っている。尚、各メインバー１４の相互間隔は、少なくともハイヒールの踵や杖の先端が嵌り難い９ｍｍ以下の所定間隔に設定されている。
【００３１】
溝蓋１３の左右両側部には、前記蓋受枠４の螺子杆９に対応する位置に収納凹部１８が夫々設けられている。収納凹部１８は、相互に隣接する適数本（図示した例では二本）のメインバー１４の端部を切除することによって、その両側に位置する二本のメインバー１４，１４とサイドバー１６とによって三方が囲繞され、さらにもう一方が、サイドバー１６に対向するように前記両側のメインバー１４，１４間に設けられた短尺の区画バー１７により区画されてなる。ここで、区画バー１７は、その両端部が前記両側に位置する二本のメインバー１４，１４に溶接されると共に、端部を切除した二本のメインバー１４，１４に溶接されている。そして、二本のメインバー１４，１４、サイドバー１６、および区画バー１７により囲繞された空間部の底部を遮蔽するように矩形状の底板１９が配設されている。この底板１９は、その四辺縁が前記二本のメインバー１４，１４、サイドバー１６、および区画バー１７の側面に溶接されており、図１，３のように、前記螺子杆９を下方から挿通可能な透孔２０が形成されている。
【００３２】
ここで、底板１９に設けられた透孔２０は、図２のように、排水溝路１の長手方向に沿った長孔形状に形成され、該長手方向と直交する方向に沿った孔幅が前記螺子杆９を遊嵌する寸法としている。これにより、透孔２０に螺子杆９を挿通した状態で、孔形状寸法の範囲内で溝蓋１３を長手方向と幅方向とに移動可能である（図４参照）。
【００３３】
上記の収納凹部１８内には、筒状固定具３１が入出可能に配設される。この筒状固定具３１は、図１〜３のように、矩形状の下板部３２と、該下板部３２の両側縁から起立する側板部３３，３３と、各側板部３３，３３の上側縁に連成された上板部３４とから構成された断面ロ字形の四角筒状を成す。ここで、下板部３２と上板部３４とは互いに対向し、両側板部３３，３３は互いに対向するように形成されており、これらに囲繞された内部に断面矩形状の空洞部３５が形成されている。この筒状固定具３１は、下板部３２の下面を収納凹部１８の底板１９の上面に面接触するようにして該収納凹部１８内に収納した状態で、上板部３４の上面が溝蓋１３の上面と略面一となる。この状態で、収納凹部１８の上部が筒状固定具３１の上板部３４により略遮蔽される。このように収納凹部１８内に収納されるように、筒状固定具３１の寸法形状が設定されている。
【００３４】
さらに、筒状固定具３１の下板部３２には、上記した螺子杆９を下方から挿通可能な長孔形状の挿通孔３６が設けられ、上板部３４には、挿通孔３６と対向するように長孔形状の操作孔３７が設けられている。挿通孔３６と操作孔３７とは同じ形状寸法に形成されており、排水溝路１の長手方向に沿って長孔形状を成し、かつ該長手方向と直交する方向に沿った孔幅が前記螺子杆９を遊嵌する寸法としている。そして、この孔幅は、後述するナット部材２１を挿通不能とする幅寸法に形成されている。これにより、ナット部材２１が挿通孔３６および操作孔３７を通じて入出できない。尚、挿通孔３６と操作孔３７とが異なる形状寸法に形成されていても良い。
【００３５】
前記透孔２０に挿通される螺子杆９は、収納凹部１８内に上記した筒状固定具３１を収納した状態で、該筒状固定具３１の空洞部３５内でナット部材２１と螺合可能な所定高さ位置まで突出する長さ寸法に設定されている。この螺子杆９の突出端にはナット部材２１が螺合される。
【００３６】
ナット部材２１は、筒状固定具３１の空洞部３５内にその両端開口から挿通可能とするように、かつ該筒状固定具３１の挿通孔３６および操作孔３７から入出不能とするように、長さ寸法および横幅寸法が設定された六角柱形状に形成されている。尚、横幅寸法は、ナット部材２１を螺子杆９に螺合した状態で、該ナット部材２１の下端面が底板１９の上面と接触するように形成されており、さらに、該接触する面積を広く確保できるように設定されていることが好ましい。
【００３７】
このナット部材２１には、その上端部に、回動操作用工具として六角レンチ６０（図３（Ｂ）参照）の先端を係合可能な断面六角形の係合孔２２が形成されている。そして、下端部に、前記螺子杆９と螺合可能な螺子孔２３が形成されている。これら係合孔２２と螺子孔２３とが上下方向に連通するように形成されている。尚、ナット部材２１は、六角柱形状に限定されるものではなく、他の角柱状や円柱状であっても良い。また、係合孔２２としては、断面形状が四角等の角孔や、マイナスドライバーやプラスドライバーを係合可能な孔形状であっても良い。係合孔の孔形状に応じた回動操作用工具が用いられる。
【００３８】
本実施例１にあって、上述した螺子杆９、収納凹部１８、ナット部材２１及び筒状固定具３１によって溝蓋１３の固定装置２９が構成されている。
【００３９】
次に、上記した溝蓋１３の固定装置２９の使用態様について説明する。
図３（Ａ）のように、排水溝路１の対向する上部内縁に配設された蓋受枠４，４に溝蓋１３を乗載する。この際、蓋受枠４の螺子杆９に溝蓋１３の収納凹部１８の透孔２０を遊嵌するようにして乗載することから、該螺子杆９がガイドの役割をし且つ溝蓋１３を排水溝路１に対して比較的容易に位置決めして配置できる。これにより、溝蓋１３の取り替え作業等も比較的容易に行い得る。
【００４０】
溝蓋１３を蓋受枠４，４に乗載し、該蓋受枠４に立設されている螺子杆９を底板１９の透孔２０に下方から挿通させた状態において、図３（Ｂ）のように、空洞部３５内にナット部材２１を配した筒状固定具３１を収納凹部１８内に配する。ここで、収納凹部１８内で突出する螺子杆９を、挿通孔３６を介して筒状固定具３１の空洞部３５内に挿入すると共に、操作孔３７から六角レンチによりナット部材２１を回動操作して螺子杆９に螺合する。この螺合により、筒状固定具３１が収納凹部１８内に進入し、該筒状固定具３１の下面が該収納凹部１８の底板１９の上面に圧接するように、ナット部材２１を緊締させる。この緊締作用によって、図３（Ｃ）のように、筒状固定具３１を介して溝蓋１３が蓋受枠４に固定される。この固定された状態では、筒状固定具３１の上面が溝蓋１３の上面と略面一となり、収納凹部１８の上端部を遮蔽する（図１参照）。このように筒状固定具３１が収納凹部１８内に埋設された状態では、ナット部材２１と螺子杆９とが緊締状態で螺着されていることから、筒状固定具３１が収納凹部１８内に固定され、これらの構成部材が衝撃で浮き上がったり、外れたりすることのない安定した固定状態となっている。特に、ナット部材２１が筒状固定具３１の空洞部３５内で螺着され且つ埋設状態で空洞部３５外へ排出できないことから、螺子杆９との螺合状態が解除され難く、比較的長期に亘って固定状態を維持できる。また、筒状固定具３１により収納凹部１８の上部を遮蔽することから、従来のような凹状の空間部ｈ（図１１参照）が生じず、これによって歩行や走行などの通行の安全性が確保される。
【００４１】
さらに、筒状固定具３１を埋設する際に、その挿通孔３６に挿通する螺子杆９がガイドの役割をすると共に、該挿通孔３６および操作孔３７が長孔形状であることから、上述したように溝蓋１３の、溝受枠４，４に対する位置決めを妨げず、該位置決めを容易に行うことを助ける。これにより、筒状固定具３１の装着作業が比較的容易に行い得ると共に、溝蓋１３を取り外す際にも、その作業性を向上できる。尚、図４（Ａ）のように、蓋受枠４，４に対して長手方向および横方向にスライドした位置でも、溝蓋１３を安定して固定することができる。さらに、図４（Ｂ）のように、溝蓋１３を蓋受枠４，４に対して傾いた状態で取り付けたとしても、同様に安定して固定することができる。
【実施例２】
【００４２】
実施例２における排水溝路１は、図５のように、断面略Ｕ字状のＵ字溝４１を地盤の所定深さ位置に一列状に埋設することによって構築されている。このＵ字溝４１の側壁４２，４２の上端に、断面Ｌ字形の左右一対の支持枠４５，４５が固設されており、該支持枠４５，４５間に複数の蓋受杆４９が横架されている。ここで、支持枠４５は垂直な立ち上がり縁４６に水平縁４７が連成されてなり、左右の支持枠４５，４５の立ち上がり縁４６，４６に前記蓋受杆４９の両端が接合されている。この左右一対の支持枠４５，４５と複数の蓋受杆４９とによって、本発明の蓋受枠４３が構成されている。蓋受杆４９は、金属製の角パイプからなり、後述する溝蓋５１の、その少なくとも長手方向の両端近傍部に対応する位置に配設されている。そして、蓋受杆４９には、その幅方向の中間部に螺子杆９が夫々立設されている。ここで、螺子杆９を構成するボルトは、該ボルトの頭部が蓋受杆４９の下面に溶接されて回動不能に固着されている。尚、このように配設された蓋受枠４３の左右の水平縁４７，４７上には、排水溝路１の周囲上部に敷設されるコンクリート１１やタイル１２等の舗装材１０が連続状に敷設されている。
【００４３】
また、上記蓋受枠４３の各蓋受杆４９上に乗載される溝蓋５１は、図６のように、支持枠４５，４５の長手方向に沿って所定間隔（９ｍｍ以下）で並列されたメインバー５２と、該メインバー５２に直交する適数本のクロスバー５３とが格子状に組み付けられ、さらに、その長手方向の両端部にエンドバー５４が接合された金属製のグレーチングからなる。その他、収納凹部１８を画成するための区画バー１７や底板１９、収納凹部１８に埋設される筒状固定具３１、上記螺子杆９に螺合されるナット部材２１の各構成は、上述した実施例１と同じであり、これら構成要素には同じ符号を付して重複する説明を省略する。
【００４４】
上記した溝蓋５１の固定装置２９にあっては、該溝蓋５１を蓋受杆４９に乗載し、該蓋受杆４９に立設されている螺子杆９を底板１９の透孔２０に下方向から挿通させた状態において、筒状固定具３１の空洞部３５内に配したナット部材２１を螺子杆９に螺合して緊締させることにより、筒状固定具３１の下面を底板１９の上面に圧接して、該筒状固定具３１を介して溝蓋５１を蓋受枠４３に固定させる。ここで、筒状固定具３１を収納凹部１８内に埋設した状態で、該筒状固定具３１の上面と溝蓋５１の上面とが略面一となると共に、該収納凹部１８の上部が遮蔽される。このような本実施例２の構成にあっても、上述した実施例１と同様の作用効果を奏し得る。
【実施例３】
【００４５】
実施例３における溝蓋１３の固定装置６９は、図７〜９のように、上述した実施例１と同様の筒状固定具３１の空洞部３５内に配されるナット部材７１と戻止め具８１とを備えた構成である。ここで、ナット部材７１と戻止め具８１以外は、上述した実施例１と同様の構成であり、重複する構成要素には同じ符号を記し、その説明を省略する。また、固定装置６９は、上述した実施例１と同様の排水溝路１に溝蓋１３を固定するためのものである。
【００４６】
ナット部材７１は、図９のように、高さ寸法が短尺の円柱状の下端部７３と、該下端部７３の上側に形成された六角柱形状の主胴部７２とから成る。ここで、下端部７３の外径が、主胴部７２の外接円の外径に比して大きくなっている。尚、上述した実施例１と同様に、ナット部材７１は、筒状固定具３１の空洞部３５内にその両端開口から挿通可能とするように、かつ該筒状固定具３１の挿通孔３６および操作孔３７から入出不能とするように、長さ寸法および横幅寸法が設定されている。
【００４７】
このナット部材７１の主胴部７２は、その横断面が仮想円に内接する略正六角形を成す六角柱形状に形成されており、互いに対向する一対の側面部７４ａ〜７４ｃを三組備えていると共に、夫々の角部により構成される互いに対向する幅広側部７５ａ〜７５ｃを三組備えている。そして、対向する幅広側部７５ａ〜７５ｃ間の幅寸法（距離）が、一対の側面部７４ａ〜７４ｃ間の幅寸法に比して広くなっている。
【００４８】
さらに、ナット部材７１は、上述した実施例１と同様に、係合孔２２と螺子孔２３とを備えている。尚、ナット部材７１は、主胴部７２が少なくとも一対の側面部と該側面部の幅に比して幅広となる互いに対向する幅広側部とを備えた構成であれば、六角柱形状に限定されるものではなく、他の角柱状であっても良し、平面状の側面部と湾曲状の幅広側部とを備えた構成等であっても良い。
【００４９】
一方、戻止め具８１は、図９のように、矩形状の底板部８２と、該底板部８２の互いに対向する側縁から上方へ起立する一対の弾性側片部８３，８３とを備えた断面略コ字形の構成である。この戻止め具８１は、バネ用ステンレス鋼帯（具体的にはＳＵＳ３０４−ＣＳＰ）により形成されており、いわゆる板バネとしての機能を有している。
【００５０】
ここで、底板部８２は、その中央に螺子杆９を挿通可能な透孔８４が形成されている。また、一対の弾性側片部８３，８３は、鉛直方向に比して互いに接近する方向に僅かに傾斜し、その上端縁に内側に折曲された折曲上端部８６，８６が夫々に形成されている。ここで、戻止め具８１は、その底板部８２に上記ナット部材７１の下端部７３を乗載でき、且つ一対の弾性側片部８３，８３間に該ナット部材７１を嵌入できるように、その形状寸法が設定されている。すなわち、一対の弾性側片部８３，８３の折曲上端部８６，８６間の間隔が、上記ナット部材７１の一対の側面部７４ａ〜７４ｃの幅寸法に比して若干狭くなるように設定されている。そのため、ナット部材７１は、一対の側面部７４ａ〜７４ｃに沿った方向で、一対の弾性側片部８３，８３間に嵌入可能となっている。尚、一対の弾性側片部８３，８３は、折曲上端部８６，８６間の間隔が、ナット部材７１の一対の側面部７４ａ〜７４ｃの幅寸法と同等であっても良い。
【００５１】
さらに、戻止め具８１は、筒状固定具３１の空洞部３５内にその両端開口から挿通可能であり、且つ空洞部３５内で回動不能であるように、その寸法形状が設定されている。尚、一対の弾性側片部８３，８３は、内側に傾斜する構成以外に、鉛直方向に沿って形成される構成や、外側に傾斜する構成等としても良い。また、折曲上端部８６，８６を備えない構成としても良い。
【００５２】
このような実施例３の溝蓋１３の固定装置６９にあっては、図７，８のように、戻止め具８１の両弾性側片部８３，８３間にナット部材７１を嵌入して配した状態で、該戻止め具８１の弾性側片部８３と直交する方向に沿って筒状固定具３１の空洞部３５内に挿入して配する。そして、溝蓋１３を蓋受枠４，４に乗載し、該蓋受枠４に立設されている螺子杆９を底板１９の透孔２０に下方から挿通させた状態において、前記戻止め具８１とナット部材７１とを配して空洞部３５内に配した筒状固定具３１を収納凹部１８内に配する。これにより、底板１９の透孔２０および戻止め具８１の透孔８４を挿通した螺子杆９に、前記ナット部材７１を螺合して緊締させることにより、筒状固定具３１の下面を底板１９の上面に圧接して、該筒状固定具３１を介して溝蓋１３を蓋受枠４に固定させる。ここで、ナット部材７１は、戻止め具８１の両弾性側片部８３，８３の弾性力によって回転を抑制されているが、六角レンチを用いて該弾性力に抗する力を作用させることによって回動可能となり、前記螺子杆９に螺合できる。そして、締結した状態では、戻止め具８１の両弾性側片部８３，８３の弾性力により、ナット部材７１の回転が抑制される。これは、六角レンチ等の回動操作用工具を使用しなければ、戻止め具８１の両弾性側片部８３，８３の弾性力に抗してナット部材７１を回動させることができないためである。さらに、前記の締結状態では、戻止め具８１が、ナット部材７１と筒状固定具３１の底板１９とにより挟持されて固定される。以上のことから、溝蓋１３上を通行する人や自動車等によって生ずる振動により、前記ナット部材７１の緊締状態が緩むことを防止できる。
【００５３】
尚、本実施例３の構成は、上記したナット部材７１の緩み抑制効果に加えて、上述した実施例１と同様の作用効果を奏する。
【００５４】
また、上述した実施例３の構成にあっては、戻止め具８１がナット部材７１を乗載する底板部８２を備えた構成であるが、該底板部を備えない構成であっても良い。例えば、ナット部材７１を側方から支持するように一対の弾性側片部を備えた断面略Ｕ字形や断面略Ｖ字形等であっても良い。
【００５５】
一方、上述した実施例３の別例として、図１０のように、筒状固定具９１が、その空洞部３５内に配したナット部材７１および戻止め具８１の脱落を防止する突部９２ａ，９２ｂを備えた構成も提案される。ここで、突部９２ａ，９２ｂは、筒状固定具９１の下板部３２の両端に空洞部３５内へ突出するように形成されている。そして、突部９２ａは、一方の開口端の中央部分に設けられており、ナット部材７１を戻止め具８１に乗載した状態で入出不能とするように、この突部９２ａの突出長さが設定されている。また、突部９２ｂは、他方の開口端の側部寄りに設けられており、ナット部材７１を戻止め具８１に乗載した状態で外部から押し込むことによって空洞部３５内に配することが可能である。さらに、空洞部３５内に配すると、同様の外力を加えなければ取り出すことができない。このような突出長さとするように、突部９２ｂが形成されている。そのため、ナット部材７１および戻止め具８１は、空洞部３５内に配した状態で、該空洞部３５内のＸ位置（図１０（Ｂ）参照）で突部９２ａに当接して脱落しないと共に、Ｙ位置（図１０（Ｂ）参照）で突部９２ｂに当接して脱落しない。
【００５６】
かかる別例の構成によれば、筒状固定具９１の空洞部３５内に、突部９２ｂが設けられた他方の開口から、ナット部材７１を戻止め具８１に乗載した状態で押し入れると、該ナット部材７１と戻止め具８１とが筒状固定具９１から脱落してしまうことを防止できる。そのため、溝蓋１３を固定する作業の際に、その作業性を向上できると共に、ナット部材７１や戻止め具８１の紛失を防止することもできる。
【００５７】
この別例では、実施例３のナット部材７１および戻止め具８１とを配する筒状固定具９１について例示したが、これに限らず、実施例１，２の筒状固定具にも適用可能である。さらに、突部９２ａ，９２ｂとしては、下板部に限らず、側板部や上板部に設けることも可能である。
【００５８】
本発明は、上述した実施例の構成に限定されるものではなく、実施例以外の構成についても本発明の趣旨の範囲内で適宜変更して実施可能である。
【符号の説明】
【００５９】
１  排水溝路
４，４３  蓋受枠
９  螺子杆
１３，５１  溝蓋
１８  収納凹部
１９  底板
２０  透孔
２１，７１  ナット部材
２２  係合孔
２３  操作孔
２９，６９  固定装置
３１，９１  筒状固定具
３２  下板部
３３  上板部
３５  空洞部
３６  挿通孔
３７  操作孔
７４ａ〜７４ｃ  側面部
７５ａ〜７５ｃ  幅広側部
８１  戻止め具
８２  底板部
８３  弾性側片部
８４  透孔
【図１】
0005579117.tif 000002
【図２】
0005579117.tif 000003
【図３】
0005579117.tif 000004
【図４】
0005579117.tif 000005
【図５】
0005579117.tif 000006
【図６】
0005579117.tif 000007
【図７】
0005579117.tif 000008
【図８】
0005579117.tif 000009
【図９】
0005579117.tif 000010
【図１０】
0005579117.tif 000011
【図１１】
0005579117.tif 000012
【図１２】
0005579117.tif 000013